(57)【特許請求の範囲】
【請求項１】
衣類において、紐形状部材又は帯形状部材の一側面長手方向にその側面より高い膨隆部を有し他側面長手方向に接合部材を設け襟台内側に着脱自在に接合することを特徴とする、襟台用襟台カバー。
【請求項２】
前記膨隆部の短手方向断面は丸形状又は半円形状又は多角形状のいずれかであることを特徴とする、請求項１に記載の襟台用襟台カバー。
【請求項３】
前記襟台用襟台カバーの上方に襟を設けることを特徴とする、請求項１又は２に記載の襟台用襟台カバー。
【請求項４】
前記襟台用襟台カバーの両端を前記膨隆部両端より突出して設けることを特徴とする、請求項１、２及び３に記載の襟台用襟台カバー。
【請求項５】
前記膨隆部は線形状又は鎖線形状又は点形状のいずれかに配置して設けることを特徴とする、請求項１、２、３及び４に記載の襟台用襟台カバー。
【請求項６】
前記襟台用襟台カバーを衣類の襟台より上方に突出して着脱自在に接合することを特徴とする 、請求項１、２、３、４及び５に記載の襟台用襟台カバー。
【発明の詳細な説明】
【技術分野】
【０００１】
本発明は、汚れを防止するために衣類の襟や袖口に被せて用いる襟用襟カバーと袖口用袖口カバーに関するものである。
【背景技術】
【０００２】
従来、襟の汚れを防止したり軽減するため衣服本体に襟を着脱自在にしていた。（特許文献１参照）
【特許文献１】特開２００１−３３６０１１号
【発明の開示】
【発明が解決しようとする課題】
【０００３】
そのために次のような問題点があった。
衣類本体と襟部の着脱方法を市販の衣類に適用するには襟部位を改造したり粘着し経費がかかったり衣類が汚染することがあった。
【課題を解決するための手段】
【０００４】
請求項１によれば、衣類において、紐形状部材の長手方向片側に接合部材を設け
又は帯形状部材の一側面長手方向に膨隆部を有し他側面長手方向に接合部材を設け
又は紐形状部材の長手方向一方端に膨隆部を設け一側面に接合部材を設けた
いずれかを襟台内側又は袖口内側に着脱自在に接合することを特徴とする。
請求項２によれば、前記紐形状部材と前記膨隆部の短手方向断面は丸形状又は半円形状又は多角形状のいずれかであることを特徴とする。
請求項３によれば、前記膨隆部を有する帯形状の襟台カバーの上方に襟を設ける又は下方に肩カバーを設ける又は上方に襟を下方に肩カバーを設けるのいずれかであることを特徴とする。
請求項４によれば、前記襟及び前記肩カバーは着脱自在に設けることを特徴とする。
請求項５によれば、前記膨隆部を有する帯形状襟台カバーの一方端又は両端のいずれかに垂下片を設けることを特徴とする。
請求項６によれば、前記垂下片に掛止部材又は透孔又は装飾部材のいずれか又はそれぞれを設けることを特徴とする。
請求項７によれば、前記膨隆部を有する帯形状の袖口カバーの先端に折り返し部を設けることを特徴とする。
請求項８によれば、前記膨隆部を有する帯形状の襟台カバーの両端を前記膨隆部両端より突出して設ける又は前記膨隆部を有する帯形状の袖口カバーの両端を前記膨隆部両端より突出して設ける又は前記膨隆部を有する帯形状の袖口カバーと折り返し部は前記膨隆部両端より突出して設けるのいずれかであることを特徴とする。
請求項９によれば、前記膨隆部は線形状又は鎖線形状又は点形状のいずれかに配置して設けることを特徴とする。
請求項１０によれば、前記帯形状襟台カバーを衣類の襟台より上方に突出して着脱自在に接合する又は前記袖口カバーを衣類の袖口より前方に突出して着脱自在に接合することを特徴とする。
【発明の効果】
【０００５】
襟用襟カバーと袖口用袖口カバーを取り外して洗濯できて、衣類本体の洗濯回数を減少できる。
【発明を実施するための最良の形態】
【０００６】
以下、本発明の実施の形態を説明する。
発明の説明に先んじて、現在の問題
[図１]において、
（Ａ）は現在用いられている市販シャツ襟Ｃが、首Ａと接触する状態を示す図で、市販シャツ襟台Ｅから上方へ突出した部位から折曲した状態に市販シャツ襟Ｃが設けられており、汚れる部位Ｄは市販シャツ襟台Ｅでなく、襟上端Ｂの折曲がった内側である。
（Ｂ）は、従来の襟カバーＦを襟上端Ｂまで上げて装着することで汚れる部位Ｄを覆うことができるが、従来襟カバーＦの上端が、外から見える部位となり、外見が悪くなる。
（Ｃ）は外からの、見える部位を無くすため従来襟カバーＦを低く装着すると、襟上端Ｂが汚れる部位Ｄになる。
（Ｄ）は本発明の襟台カバー２を市販シャツ襟台Ｅに掛止部材３で襟上端Ｂより低く装着した図で、膨隆部１が皮膚と接触する汚れる部位Ｄとなり、襟台カバー２上端の膨隆部１が襟上端Ｂより低いため外側から襟台カバー２が見えないので外見が良くなるのが本発明の特徴である。
（Ｅ）は市販シャツ袖口Ｊの汚れる部位Ｄを示す。袖口で汚れるのは内側先端が主である。
（Ｆ）は、袖口で汚れるのは内側先端（Ｅ）図の汚れる部位Ｄに一致して袖膨隆部６を設けた袖口１を構成するため、袖口カバー先端４が市販シャツ袖口先端Ｉより見えない内側に装着しても、外側から袖口カバー５が見えない状態となり、市販シャツ袖口Ｊの汚れを防止できる。
【０００７】
[図２]において、
（Ａ）は、本発明の襟台カバー２の内側に膨隆部１を両端に渡って設け、後面に掛止部材３を設け、又膨隆部１を襟台カバー２の上縁辺の両端に渡って設けてもよい。
（Ｂ）は（Ａ）を外側から見た図で、襟台カバー２の外側に掛止部材３を設けている。市販シャツの襟台に掛止部材３と相対して被掛止部材（ボタンなど）を設けて、着脱自在にそれぞれを掛止する。
（Ｃ）は袖口カバー５の内側に膨隆部１を両端に渡って設け、後方の外側に掛止部材３を設ける。又膨隆部１を袖口カバー５の前縁辺の両端に渡って設けてもよい。
（Ｄ）は（Ｃ）の外側の図で、袖口カバー５の外側で後面に掛止部材３を設ける。
これにより、市販衣類側の襟台と袖口に、掛止部材３に相対して掛止部材を設けて、着脱自在にすると、襟台カバー２や袖口カバー５を着脱できる。
（Ｅ）はファスナーの一方端長手方向を衣類襟台下方に固着し他方端長手方向を襟台カバー２の下方縁辺に固着し、ファスナーの他方端を衣類本体首側６８に固着して、ファスナーの着脱により襟台カバー２を着脱してもよい。
（Ｆ）はファスナーの一方端長手方向を衣類袖口後方に固着し、他方端長手方向を袖口カバー５の後方縁辺に固着し、ファスナーの他方端を衣類袖７１に固着して、ファスナーの着脱により袖口カバーを着脱してもよい。
[図３]において、
（Ａ）は膨隆部１を襟台カバー２の上縁辺の両端に渡り設け、膨隆部１の断面形状は丸形状でも多角形状でも良い。
（Ｂ）は膨隆部１を襟台カバー２の上方両端に渡って設けてもよい。
（Ｃ）膨隆部１を襟台カバー２の上縁よりやや下方で中央近傍に設けてもよく、これにより襟台カバー２の外側から又前方Ｋから見えにくくなる。
（Ｄ）は膨隆部１を襟台カバー２の上縁よりやや下方で両端に渡り設けてもよく、これにより膨隆部１が上方外側から見えにくくなる。
（Ｅ）は膨隆部１を袖口カバー５の先端縁辺に渡り設けている。
（Ｆ）は膨隆部１を袖口カバー５の先端よりやや後方に設ける。
これにより市販衣類の襟が膨隆部１より上方に位置するので市販衣類の襟の外側から見えない。又、襟台カバー２を市販衣類の袖口より内側に位置できるので市販衣類の袖口の外側から見えない。
【０００８】
[図４]において、
は襟台カバーと袖口カバーの短手方向断面図であって、膨隆部材を着脱自在に設ける方法を示し、
（Ａ）は襟台カバー２の上縁辺に設けた突片８に膨隆部材７に凹部設けて嵌設し着脱自在に固定し、
（Ｂ）は襟台カバー２の前面に突片８を設け膨隆部材７に凹部設けて嵌設し膨隆部材７を着脱自在固定し、
（Ｃ）は膨隆部材７に凹部設けて襟台カバー２の上端を着脱自在に嵌設して膨隆部材７を固定する。
(Ｄ)は襟台カバー２と膨隆部材７の間に接合離反部材９である両面テープや接合離反テープやホックなどを用いて着脱自在に膨隆部材７を固定する。
（Ｅ）は袖口カバー５先端に設けた突片８に膨隆部材７に凹部設けて嵌設して着脱自在に固定し、
（Ｆ）は袖口カバー５先端近傍下面に突片８を設け膨隆部材７に凹部設けて嵌設して膨隆部材７を着脱自在固定し、
（Ｇ）は膨隆部材７に凹部設けて袖口カバー５先端に着脱自在に嵌設して膨隆部材７を固定し、
(Ｈ)は袖口カバー５先端近傍下側と膨隆部材７の間に接合離反部材９である両面テープや接合離反テープやホックなどを用いて着脱自在に膨隆部材７を固定する。
【０００９】
[図５]において、
は襟台カバー２に襟と肩カバーを設けた図で、
（Ａ）襟台カバー２上方縁辺に襟台カバー襟１０を設けた状態。
襟台カバー襟１０に模様を設けると、市販シャツ襟Ｃに襟台カバー襟１０を重置した際、仕事帰りの晴れ会場への出席では華やかかな雰囲気を出せ、模様襟付市販シャツを持ち歩く必要が無くなる。
（Ｂ）は襟台カバー２下方縁辺に肩カバー１２を設けた状態で気温が低い際や冷房の温度が低い際に肩の体温低下を防止出来る。肩カバー１２の材質は外気の温度差により、綿布素材、綿入り素材、化繊素材、加温素材など、どのようなものでも良い。
（Ｃ）は襟台カバー２の上方に襟台カバー襟１０を設け、下方に肩カバー１２を設けた状態で、寒冷期間に仕事帰りの晴れ会場に出席した際華やかな雰囲気と体温低下を防止出来る。
（Ｄ）は市販シャツ襟Ｃに襟台カバー襟１０を重置した状態を示し、
（Ｅ）は（Ａ）の詳細で、襟台カバー２上方に襟台カバー襟１０を設けた襟付襟台カバーである。
（Ｆ）は襟台カバー２の下方に肩カバー２０を設けた肩カバー付襟台カバー２２構成である。
【００１０】
[図６]において、
（Ａ）は襟と肩カバーを着脱自在に設ける方法で、
襟台カバー襟１０を襟台カバー２に着脱自在に接合する方法で、
襟台カバー襟１０の下方に襟台カバー襟突片１３を設け、襟台カバー襟突片１３に襟突片掛止部材凸１４を相対して設け、襟台カバー２に襟突片掛止部材凹１５を設ける。
又は、襟台カバー襟突片１３を設けないで、襟台カバー襟１０の下方に襟突片掛止部材凸１４を設けても良い。
以下着脱方法を示し、
（Ａ）aは、襟台カバー２の外側に襟台カバー襟突片１３を位置し、襟突片掛止部材凸１４と襟突片掛止部材凹１５を接続固定して襟台カバー襟１０を襟台カバー２に固定し、襟突片掛止部材凸１４と襟突片掛止部材凹１５の接続を開放して、襟台カバー襟１０を襟台カバー２から取り去る。
（Ａ）ｂは、襟台カバー襟１０を襟台カバー２に接続した状態を、市販シャツ襟台Ｅに、襟台カバー掛止部材１６で接続固定する。
（Ａ）cは、掛止部材３や襟台カバー掛止部材１６や襟突片掛止部材凸１４と襟突片掛止部材凹１５の構成で、凹に凸を嵌めて接続固定し抜出して開放する。又は凹と凸に換えて、両面テープや圧着テープなど、着脱自在にできる部材なら何でも良い。
【００１１】
（Ｂ）は肩カバー１２を襟台カバー２に着脱自在に設ける方法で、
襟台カバー２に襟台カバー掛止部材１６と肩突片掛止部材凸１７（凹部材でもよく）を設け、肩カバー１２上方に肩カバー突片１８を設け、
肩カバー突片１８に肩突片掛止部材凹１９（凸部材でもよく）を設け、肩突片掛止部材凸１７（凹部材でもよく）と肩突片掛止部材凹１９（凸部材でもよく）を着脱自在にして、肩カバー１２を襟台カバー２に着脱自在に設け、
（Ｂ）aは肩カバー１２を襟台カバー２の外側に設け、
（Ｂ）ｂは肩カバー１２を襟台カバー２の内側に設け、
（Ｂ）ｃは肩カバー１２を設けた襟台カバー２を、襟台カバー掛止部材１６を用いて、Ｅ市販シャツ襟台Ｅに襟台カバー２を装着した図である。
（Ｃ）は市販シャツ襟台Ｅに襟台カバー２を掛止する方法で市販シャツ襟台Ｅに接合離反テープ凹２４（接合離反テープ凸２３でも良い）を貼り付け、襟台カバー２に接合離反テープ凸２３（接合離反テープ凹２４でも良い）を貼り付け、それぞれを接合して襟台カバー２を市販シャツ襟台Ｅに掛止し、離反して襟台カバー２を市販シャツ襟台Ｅから離反する。
【００１２】
[図７]において、
（Ａ）は、袖口カバー５の先端部を膨隆部１より先で外側に折り返して、折り返し部３１を設けた構成で、袖口カバー５に掛止部材２８と掛止部材２９と掛止部材３０を設け、それぞれに相対させて市販シャツ側掛止部材２５と市販シャツ側掛止部材２６と市販シャツ側掛止部材２７を設け、
袖口カバー５に掛止部材２８と掛止部材２９と掛止部材３０と
掛止部材２８と掛止部材２９と掛止部材３０をそれぞれ着脱自在に掛止させて袖口カバー５を市販シャツ袖口Ｊに着脱自在に掛止し、
袖口カバー５を市販シャツ袖口Ｊの内側に装着し、折り返し部３１を市販シャツ袖口Ｊの外側へ被せて折り曲げる。
この際、折り返し部谷３２と市販シャツ袖口先端Ｉを略一致させて折り曲げるように調整する。
市販シャツ袖口先端Ｉが折り返し部谷３２に包含されることで、袖口カバー５のみが見えて外見上好ましくなる。
（Ｂ）は、折り返し部３１を折り返した状態である。袖口カバー５と折り返し部３１それぞれの両端を市販シャツ袖口Ｊ両端より長く揃えて設け、両端に孔３９を開けてカフスボタンＯを装着しても良い。（図１０（Ｄ）参照）
（Ｃ）は市販シャツのボタンＮを市販シャツのボタン孔Ｍに掛止して市販シャツ袖口Ｊを閉じた状態で、市販シャツ袖口Ｊの内側に、袖口カバー５を巻き込んだ状態にしても良い。
【００１３】
[図８]において、
（Ａ）は、襟台カバー２の端部３７に垂下片３６を設ける。なお、垂下片３６に色彩を有すると晴れの場所で豪華さを演出できる。
（Ｂ）は、両方の端部３７に垂下片３６を設ける。なお、両方の垂下片３６に色彩を有すると晴れの場所でより豪華さを演出できる。
（Ｃ）は、垂下片３６を着脱自在に設ける方法で、襟台カバー掛止部材１６を用いる方法では、襟台カバー２外側の端部３７に襟台カバー掛止部材１６を設け、垂下片３６の上方に垂下片接続部材４１を設け、襟台カバー掛止部材１６と垂下片接続部材４１は接合離反自在になっており、襟台カバー掛止部材１６と垂下片接続部材４１を接合して垂下片３６を接続し又離反することで垂下片３６を取り外し、必要に応じて垂下片３６を着脱する。
【００１４】
又、襟台カバー掛止部材１６を襟台カバー２の両端に設け、垂下片接続部材４１を設けた垂下片３６を襟台カバー２の両端に着脱自在に設けても良く、両端に垂下片３６を設けることにより、晴れの場所でより豪華さを演出できる。
（Ｄ）aは垂下片３６に装飾部材４０を設け豪華な演出にし、又、装飾部材４０を左右両側に設けてもよく、
（Ｄ）ｂは垂下片３６に掛止部材であるボタン３８を設け、
（Ｄ）ｃは孔３９を設けてボタンを掛止可能にし、
（Ｄ）dは垂下片３６に掛止部材のボタン３８と装飾部材４０を設け、
（Ｄ）eは垂下片３６に孔３９と装飾部材４０を設けている。
【００１５】
[図９]において、
（Ａ）は膨隆部１を有する襟台カバー２の短手方向ＥーＥ断面で、
（Ｂ）は丸形状膨隆部４３を示し、
（Ｃ）は多角形状膨隆部４４を示す。
【００１６】
[図１０]において、
（Ａ）は袖口カバー５の両端と同じ大きさの折り返し部３１を有する構成で、これにより市販シャツ袖口Ｊを袖口カバー５と折り返し部３１の間に挟み込み外から見えなくすることができる。
（Ｂ）は、袖口カバー５両端より突出して突出折り返し部４５構成すると、突出折り返し部４５を相互に密着させてカフスボタンＯを使用する際、重ね部を薄くできる。
（Ｃ）は袖膨隆部６を袖口カバー突出部４６より短く設けている。
（Ｄ）は、突出折り返し部４５の短部に孔３９を設けて、装飾のカフスボタンＯを用いるのを可能にしている。
（Ｅ）は、（Ｄ）のＡーＡ断面で、内側に袖口カバー５、中間に市販シャツ袖口Ｊ、外側に突出折り返し部４５になって市販シャツ袖口Ｊを挟み込んでいる。
【００１７】
[図１１]において、
（Ａ）は線膨隆部４７を設けた襟台カバー２で、線膨隆部４７は複数設けてもよく、
（Ｂ）は鎖線膨隆部４８を設けた襟台カバー２で全面に配置して設けてもよく、
（Ｃ）は点膨隆部４９を線形状に設けた襟台カバー２で全面に配置してもよく、
（Ｄ）は線膨隆部４７を設けた袖口カバー５で、線膨隆部４７は複数設けてもよく、
（Ｅ）は鎖線膨隆部４８を線状に配置して設けた袖口カバー５で全面に配置して設けてもよく、
（F）は点膨隆部４９を線状に配置して設けた袖口カバー５で点膨隆部４９は全体に配置しても良い。
【００１８】
[図１２]において、
（Ａ）は膨隆部１を複数本、水平に設けたことで皮膚の接触面が増し、皮膚のすれが減少する襟台カバー２、
（Ｂ）は鉛直膨隆部５０を複数設けたことで首Ａの通気が良くなり高温時には体温が下げられる襟台カバー２、
（Ｃ）は点膨隆部４９を縦に複数設けたことで汚染部が少なくなり通気が良くなる襟台カバー２、
（Ｄ）は小鉛直膨隆部５１を複数並べて設けたことで通気が良くなる袖口カバー５、
（Ｅ）は膨隆部１を複数本、水平に設けたこと皮膚の接触面が増し、皮膚のすれが減少する袖口カバー５、
（Ｆ）は鉛直膨隆部５０を複数設けたことで手首の通気が良くなり高温時には体温が下げられる、袖口カバー５、
（Ｇ）は点膨隆部４９を縦に複数設けたことで汚染部が少なくなり通気が良くなる袖口カバー５、
（Ｈ）は小鉛直膨隆部５１を複数並べて設けたことで通気が良くなる袖口カバー５。
（Ｉ）は点膨隆部４９を全面に配置した袖口カバー５、
（Ｊ）は点膨隆部４９を全面に配置した襟台カバー２。
【００１９】
[図１３]において、
（Ａ）は丸紐襟台カバー５２で後面に掛止部材３を設け、
（Ｂ）は半丸紐襟台カバー５３で後面に掛止部材３を設け、
（Ｃ）は前後に厚みを設けた多角帯襟台カバー５４で後面に部材を設け、
（Ｄ）は市販シャツ襟台Ｅに丸紐襟台カバー５２を掛止部材３で接合した状態を示し、
（Ｅ）市販シャツ襟台Ｅに半丸紐襟台カバー５３を掛止部材３で接合した状態を示し、
（Ｆ）市販シャツ襟台Ｅに多角帯襟台カバー５４を掛止部材３で接合した状態を示し、
（Ｇ）市販シャツ袖口Ｊに半丸紐袖口カバー５６を掛止部材３で接合した状態を示し、
（Ｈ）市販シャツ袖口Ｊに丸紐袖口カバー５７を掛止部材３で接合した状態を示し、
（Ｉ）市販シャツ袖口Ｊに多角帯袖口カバー５８を掛止部材３で接合した状態を示し、
これにより丸紐襟台カバー５２や半丸紐襟台カバー５３や多角帯襟台カバー５４を市販シャツ襟台Ｅや市販シャツ袖口Ｊに装着し、丸紐襟台カバー５２や半丸紐襟台カバー５３や多角帯襟台カバー５４が汚れた際に剥がして新しいものと交換すると市販シャツ襟台Ｅや市販シャツ袖口が汚れず市販シャツＬの洗濯回数が減ることを得る。
【００２０】
[図１４]において、
（Ａ）は短手方向を市販シャツ襟台Ｅより大きく設け膨隆部１を上方に設けた襟台カバー２を、市販シャツ襟台Ｅより上方に突出して装着すると、膨隆部１により汚れが付着し易い襟上端Ｂの汚染を防止出来る。
（Ｂ）は襟台カバー２と市販シャツ襟台Ｅの接合方法を示し、襟台カバー２に接合部材凸（接合部材凹でもよい）を設け、市販シャツ襟台Ｅに接合部材凹（接合部材凸でもよい）を設け、接合部材凸と接合部材凹を接合して、襟台カバー２と市販シャツ襟台Ｅを接合し、接合部材凸と接合部材凹を離反して襟台カバー２と市販シャツ襟台Ｅを離反する。
（Ｃ）は襟台カバー２と市販シャツ襟台Ｅの接合方法を示し、襟台カバー２に接合離反部材Ａ（接合離反部材Ｂでもよい）を設け、市販シャツ襟台Ｅに接合離反部材Ｂ（接合離反部材Ａでもよい）を設け、接合離反部材Ａと接合離反部材Ｂを接合して、襟台カバー２と市販シャツ襟台Ｅを接合し、接合離反部材Ａと接合離反部材Ｂを離反して襟台カバー２と市販シャツ襟台Ｅを離反する。
（Ｄ）は襟台を上襟台６３と下襟台６４に分離しそれぞれの間にファスナー６５を設け、上襟台６３上方に膨隆部
１を設け、上襟台６３と下襟台６４を着脱自在に接合する。
（Ｅ）は袖口を前袖口６６と後ろ袖口６７に分離しそれぞれの間にファスナー６５を設け、
前袖口６６と後ろ袖口６７着脱自在に接合する。
【図面の簡単な説明】
【００２１】
【図１】襟汚れと袖口汚れの発生原因
【図２】膨隆部付襟台カバーと膨隆部付袖口カバー
【図３】膨隆部の配置
【図４】膨隆部を着脱自在に設ける
【図５】襟と肩カバーを設けた襟台カバー
【図６】襟と肩カバーを着脱自在に設ける
【図７】袖口カバー折り曲げ部を設ける
【図８】襟台カバーに垂下片を設ける
【図９】膨隆部の形状
【図１０】袖口カバーの折り返し部構成
【図１１】膨隆部の形状と配置方法１
【図１２】膨隆部の形状と配置方法2
【図１３】紐・帯形状の襟台カバーと袖口カバー
【図１４】膨隆部を上方に設けた大きな襟台カバーを上方に突出して装着する
【符号の説明】
【００２２】
Ａ首
Ｂ襟上端
Ｃ市販シャツ襟
Ｄ汚れる部位
Ｅ市販シャツ襟台
Ｆ従来襟カバー
Ｇ市販シャツ袖
Ｈ前方
Ｉ市販シャツ袖口先端
Ｊ市販シャツ袖口
Ｋ前方
Ｌ市販シャツ
Ｍ市販シャツのボタン孔
Ｎ市販シャツのボタン
Ｏカフスボタン
１膨隆部
２襟台カバー
３掛止部材
４袖口カバー先端
５袖口カバー
７膨隆部材
８突片
９接合離反部材
１０襟台カバー襟
１１模様
１２肩カバー
１３襟台カバー襟突片
１４襟突片掛止部材凸
１５襟突片掛止部材凹
１６襟台カバー掛止部材
１７肩突片掛止部材凸
１８肩カバー突片
１９肩突片掛止部材凹
２１襟付襟台カバー
２２肩カバー付襟台カバー
２３接合離反テープ凸
２４接合離反テープ凹
２５市販シャツ側掛止部材
２６市販シャツ側掛止部材
２７市販シャツ側掛止部材
２８掛止部材
２９掛止部材
３０掛止部材
３１折り返し部
３２折り返し部谷
３６垂下片
３７端部
３８ボタン
３９孔
４０装飾部材
４１垂下片接続部材
４３丸形状膨隆部
４４多角形状膨隆部
４５突出折り返し部
４６袖口カバー突出部
４７線膨隆部
４８鎖線膨隆部
４９点膨隆部
５０鉛直膨隆部
５１小鉛直膨隆部
５２丸紐襟台カバー
５３半丸紐襟台カバー
５４多角帯襟台カバー
５６半丸紐袖口カバー
５７丸紐袖口カバー
５８多角帯袖口カバー
５９接合部材凸
６０接合部材凹
６１接合離反部材Ａ
６２接合離反部材Ｂ
６３上襟台
６４下襟台
６５ファスナー
６６前袖口
６７後ろ袖口
６８衣類本体首側
６９衣類襟台
７０衣類袖口
７１衣類袖
【要約】
【課題】
衣類の、襟台と袖口が汚れるのを防止するため、襟台に襟台カバーを着脱自在に装着し、袖口に袖口カバーを着脱自在に装着して、襟台と袖口の汚れを防止する襟台カバーと袖口カバー。
【手段】
本発明は、襟台カバー２の内側に膨隆部１を設け、後面に掛止部材３を設け、衣類の襟台に掛止部材３と相対して被掛止部材を設けて、着脱自在にそれぞれを掛止して襟台カバーを装着する。
袖口カバー５の内側に膨隆部１を設け、外側に掛止部材３を設け、市販衣類の袖口に掛止部材３と相対して被掛止部材を設けて、着脱自在にそれぞれを掛止して袖口カバーを装着する。
【選択図】図２【図１】
0006055128.tif 000002
【図２】
0006055128.tif 000003
【図３】
0006055128.tif 000004
【図４】
0006055128.tif 000005
【図５】
0006055128.tif 000006
【図６】
0006055128.tif 000007
【図７】
0006055128.tif 000008
【図８】
0006055128.tif 000009
【図９】
0006055128.tif 000010
【図１０】
0006055128.tif 000011
【図１１】
0006055128.tif 000012
【図１２】
0006055128.tif 000013
【図１３】
0006055128.tif 000014
【図１４】
0006055128.tif 000015